(57)【要約】【課題】傘を簡単に着脱できると共に、装着した傘が安定し、使用しないときでも見映えのよい自転車用傘ホルダを提供する。【解決手段】自転車の前部に取り付けて、閉じた傘Ｕを保持する自転車用傘ホルダにおいて、自転車のハンドルステム５１に取付具４を介して固定される内筒１と、その外側に回動自在に嵌められる外筒２と、一端が内筒１に、他端が外筒２に固定されるベルト３とを構成部材とし、内筒１に傘Ｕを挿入して、外筒２を内筒１に対し一方向に回転させると、ベルト３が縮径して傘Ｕが締め付けられ、係止機構により、内筒１に対し外筒２が任意の回転位置で係止されるようにし、外筒２を内筒１に対し他方向に回転させると、ベルト３が拡径して傘Ｕの締め付けが緩み、傘Ｕを内筒１から抜き取れるようにする。【選択図】図２
2007153256.tif 000002
【特許請求の範囲】
【請求項１】
自転車の前部に取り付けて、閉じた傘を保持する自転車用傘ホルダにおいて、自転車のハンドルステムに取付具を介して固定される内筒と、その外側に回動自在に嵌められる外筒と、一端が内筒に、他端が外筒に固定されるベルトとを構成部材とし、内筒に傘を挿入して、外筒を内筒に対し一方向に回転させると、ベルトが縮径して傘が締め付けられ、係止機構により、内筒に対し外筒が任意の回転位置で係止されるようにし、外筒を内筒に対し他方向に回転させると、ベルトが拡径して傘の締め付けが緩み、傘を内筒から抜き取れるようにしたことを特徴とする自転車用傘ホルダ。
【請求項２】
請求項１に記載の自転車用傘ホルダにおいて、前記係止機構として、内筒に形成したラチェット歯に、外筒に設けたラチェット爪が係脱するラチェット機構を用い、その係合状態を解除する傘解放レバーを設け、係合の解除に伴い、外筒が付勢力により初期状態に復帰するようにしたことを特徴とする自転車用傘ホルダ。
【請求項３】
請求項１又は２に記載の自転車用傘ホルダにおいて、ハンドルロック機構として、前記取付具のブラケットにロック片を回動させるハンドルロックレバーを設け、フレームのヘッドチューブに受取具を取り付け、ハンドルロックレバーの操作に伴い、受取具にロック片を挿入するとハンドルがロックされ、受取具からロック片を抜き出すとハンドルのロックが解除されるものを備えたことを特徴とする自転車用傘ホルダ。
【発明の詳細な説明】
【技術分野】
【０００１】
この発明は、自転車の前部に取り付けて、閉じた傘を保持する自転車用傘ホルダに関するものである。
【背景技術】
【０００２】
従来、この種の傘ホルダは多数提案されており、そのうち、下記特許文献１に示されたものは、自転車のハンドルステムに取り付けられる弾性体のバンドを備えた保持具と、フロントフォークに取り付けられるリング状の支持具とから成り、傘の下部を支持具のリングに挿入し、バンドを傘の上部に巻き付け、バンドに形成した複数の穴のいずれかに保持具の端部の突起を係止して、傘の上部をバンドで締め付ける構成とされている。
【０００３】
【特許文献１】特開２００３−１４６２７６号公報
【発明の開示】
【発明が解決しようとする課題】
【０００４】
ところで、上記のような傘ホルダでは、傘をがたつくことなく保持できるが、傘の着脱に手間がかかるほか、使用しないとき、係止の外れたベルトが弛んだ状態となり、見映えが悪いという問題がある。
【０００５】
そこで、この発明は、傘を簡単に着脱できると共に、装着した傘が安定し、使用しないときでも見映えのよい自転車用傘ホルダを提供することを課題とする。
【課題を解決するための手段】
【０００６】
上記課題を解決するため、この発明に係る自転車用傘ホルダは、自転車のハンドルステムに取付具を介して固定される内筒と、その外側に回動自在に嵌められる外筒と、一端が内筒に、他端が外筒に固定されるベルトとを構成部材とし、内筒に傘を挿入して、外筒を内筒に対し一方向に回転させると、ベルトが縮径して傘が締め付けられ、ラチェット機構等を用いた係止機構により、内筒に対し外筒が任意の回転位置で係止されるようにし、外筒を内筒に対し他方向に回転させると、ベルトが拡径して傘の締め付けが緩み、傘を内筒から抜き取れるようにしたのである。
【発明の効果】
【０００７】
この自転車用傘ホルダでは、外筒を内筒に対して回転させるだけで、傘を簡単に着脱でき、装着した傘がベルトで締め付けられてがたつくことなく安定する。また、ベルトが外筒の内部に設けられているので、使用しないときでも、外見上、形状の変化がほとんどなく、見映えが悪くなることがない。
【発明を実施するための最良の形態】
【０００８】
以下、この発明の実施形態を添付図面に基づいて説明する。
【０００９】
図１に示すように、この傘ホルダは、自転車の前部に取り付けるものであり、図２乃至図４に示すように、金属又は硬質プラスチックを材料とする内筒１及び外筒２と、可撓性を有するプラスチック板を材料とするベルト３とを主要な構成部材とするものである。外筒２は、内筒１の外側に回動自在に嵌められ、ベルト３の一端は内筒１に、他端は外筒２に固定される。内筒１は、取付具４を介して自転車のハンドルステム５１に固定される。
【００１０】
内筒１は、上下に配された環状部５を支柱部６で繋いだ構成とされ、支柱部６の外側には、ベルト３のはみ出しを防止する切欠が設けられている。また、支柱部６には、ベルト３を固定するピン７の挿通穴８が設けられている。
【００１１】
外筒２は、上端にフランジ９を有し、このフランジ９により内筒１に支持される。外筒２の外周には、ベルト３を固定するピン１０の挿通穴１１と、内筒１に対し抜け止めし、回転角度を規制するボルト１２のねじ穴１３が設けられている。
【００１２】
ベルト３の両端部には、内筒１及び外筒２への固定用のピン７，１０を挿通する挿通穴１４，１５がそれぞれ設けられている。
【００１３】
外筒２の外周上部には、ノブ１６が取り付けられ、内筒１の外周上部に形成されたラチェット歯１７と、ノブ１６の内部に設けられた傘解放レバー１８のラチェット爪１９とが外筒１の係止機構を構成している。ラチェット爪１９は、外筒２の切欠部から内側へ付勢されて突出し、傘解放レバー１８の操作部はノブ１６の開口部から上方へ突出している。
【００１４】
取付具４は、内筒１の下部にかしめて固着される座部２０からブラケット２１が延び、ブラケット２１の端部にクランプ２２を設けた構成とされ、クランプ２２により、籠ステー５２の上方でハンドルステム５１を挟み込んで固定される。なお、取付具４と外筒２とは、図示省略したばねにより連結され、外筒２は、内筒１に対し回転しても、初期状態に復帰する方向に付勢されている。
【００１５】
また、この傘ホルダには、ハンドルロック機構として、取付具４のブラケット２１にハンドルロックレバー２３が設けられ、その回転軸にロック片２４が設けられている。ハンドルロックレバー２３の回転軸は、ばね２５で回転範囲の両端方向へ付勢されている。
【００１６】
また、フレームのヘッドチューブ５３に受取具２６が設けられている。この受取具２６は、ロック片２４を受け入れる下広がりの挿入部２７を、クランプ２８に溶接で固着した構成とされ、クランプ２８によりヘッドチューブ５３を挟み込んで固定される。
【００１７】
上記のような傘ホルダを自転車に取り付けて使用する際には、図４に示すように、ベルト３が拡径した状態で、内筒１に傘Ｕを上方から挿入し、ノブ１６に指を掛けて、内筒１に対し外筒２を一方向（右回り）へ回転させる。
【００１８】
この回転に伴い、図５に示すように、ベルト３が縮径して傘Ｕが締め付けられ、ラチェット爪１９がラチェット歯１７に係合し、外筒２が傘Ｕの巻径に応じて適宜の回転位置で内筒１に対して戻らないように係止される。これにより、装着した傘Ｕは、外径の大小にかかわらず、走行中がたつくことなく安定して保持される。
【００１９】
一方、この傘ホルダから傘Ｕを取り外す際には、傘解放レバー１８を外側へ押すと、ラチェット爪１９とラチェット歯１７の係合が解除され、外筒２が付勢力により内筒１に対し他方向（左回り）に回転して、図４に示す初期状態に復帰し、ベルト３が拡径して傘Ｕの締め付けが緩むので、傘Ｕを内筒１から抜き取ることができる。
【００２０】
また、この傘ホルダは、ベルト３が外筒２の内部に設けられているので、使用しないときでも、外見上、形状の変化がほとんどなく、自転車のデザインが損われることがない。
【００２１】
また、自転車に取り付けた同乗器に子供を座らせる際、図１及び図２に示すように、ハンドルロックレバー２３を垂直上方へ向けておくと、受取具２６の挿入部２７にロック片２４が挿入されて、ハンドル５４がロックされ、前輪５５が安定するので、自転車の転倒に伴う事故の発生が防止される。
【００２２】
このとき、ハンドル５４がある程度曲がっていても、受取具２６の挿入部２７が下広がりとなっているので、その挿入部２７にロック片２４がガイドされつつ挿入され、ハンドル５４が直進状態に向けられてロックされる。
【００２３】
そして、ハンドルロックレバー２３を水平方向へ倒すと、受取具２６の挿入部２７からロック片２４が抜け出して、ハンドル５４のロックが解除されるので、通常どおり走行可能な状態となる。
【００２４】
このように、上記のような傘ホルダを取り付けると、当初からハンドルロック機構を備えていない自転車にも、安価にハンドルロックの機能を付加して、安全性を向上させることができる。
【図面の簡単な説明】
【００２５】
【図１】この発明の実施形態に係る傘ホルダを取り付けた自転車の前部斜視図
【図２】同上の傘ホルダの斜視図
【図３】同上の分解斜視図
【図４】同上の傘の解放状態を示す横断平面図
【図５】同上の傘の締め付け状態を示す横断平面図
【符号の説明】
【００２６】
１  内筒
２  外筒
３  ベルト
４  取付具
５  環状部
６  支柱部
７，１０  ピン
８，１１  挿通穴
９  フランジ
１２  ボルト
１３  ねじ穴
１４，１５  挿通穴
１６  ノブ
１７  ラチェット歯
１８  傘解放レバー
１９  ラチェット爪
２０  座部
２１  ブラケット
２２  クランプ
２３  ロックレバー
２４  ロック片
２５  ばね
２６  受取具
２７  挿入部
２８  クランプ
５１  ハンドルステム
５２  籠ステー
５３  ヘッドチューブ
５４  ハンドル
５５  前輪
Ｕ  傘
【図１】
2007153256.tif 000003
【図２】
2007153256.tif 000004
【図３】
2007153256.tif 000005
【図４】
2007153256.tif 000006
【図５】
2007153256.tif 000007